(57)【特許請求の範囲】
【請求項１】
搬送される被印刷物に対して印刷を施すゴム胴と、
前記ゴム胴に対接する少なくとも４つの版胴と、
前記４つの版胴のうち前記ゴム胴の回転方向最下流の版胴よりも前記ゴム胴の回転方向下流側かつ前記ゴム胴が被印刷物へ印刷を施す印刷箇所よりも前記ゴム胴の回転方向上流側で前記ゴム胴に対接する集合版胴と、
前記集合版胴に対接し、この集合版胴にインキを転写する集合ゴム胴と、
前記集合ゴム胴に対接する少なくとも２つの部分版胴と、
前記各版胴および前記各部分版胴のそれぞれに対応して複数設けられ、各版胴および各部分版胴にインキを供給するインキ装置とを備えていることを特徴とする多色オフセット印刷機。
【請求項２】
請求項１記載の多色オフセット印刷機において、
前記部分版胴と、前記集合ゴム胴と、前記集合版胴と、前記ゴム胴は、前記被印刷物にザンメル印刷を施すものであることを特徴とする多色オフセット印刷機。
【請求項３】
請求項１記載の多色オフセット印刷機において、
前記被印刷物を保持して搬送する搬送胴を備え、
前記搬送胴は、周囲に複数の版胴が対接する第２ゴム胴であることを特徴とする多色オフセット印刷機。
【請求項４】
請求項３記載の多色オフセット印刷機において、
前記第２ゴム胴に対接する複数の版胴は、少なくとも４つあることを特徴とする多色オフセット印刷機。
【請求項５】
請求項１記載の多色オフセット印刷機において、
前記少なくとも２つの部分版胴と、前記集合ゴム胴と、前記集合版胴と、前記ゴム胴は、ザンメル印刷によって前記被印刷物に金額または国名を印刷するように構成され、
前記少なくとも４つの版胴と前記ゴム胴は、シムルタン印刷によって前記金額または国名の上にバックグラウンド模様をオーバープリントするように構成されていることを特徴とする多色オフセット印刷機。
【発明の詳細な説明】
【技術分野】
【０００１】
本発明は、多色オフセット印刷を１枚のシートに１度に施す多色オフセット印刷機に関するものである。
【背景技術】
【０００２】
従来、例えば紙幣や有価証券等を印刷するために用いる印刷機としては、特許文献１や特許文献２に記載されているような多色オフセット印刷機がある。
特許文献１の図５に示されている多色オフセット印刷機は、シートの両面にシムルタン印刷を行うものである。この多色オフセット印刷機は、シートに印刷を施す一対のゴム胴と、一方のゴム胴に対接する４つの版胴と、他方のゴム胴に対接する４つの版胴とを備えている。すなわち、この多色オフセット印刷機によれば、シートの表面に４色のシムルタン印刷が施されるとともに、シートの裏面に４色のシムルタン印刷が施される。
【０００３】
特許文献２に開示されている多色オフセット印刷機は、シートに印刷を施す一対のゴム胴と、一方のゴム胴に対接する４つの版胴と、他方のゴム胴に対接する２つの版胴と、他方のゴム胴に対接するザンメル集合版胴とを備えている。ザンメル集合版胴には、ザンメル集合ゴム胴が対接している。ザンメル集合ゴム胴には、３つのザンメルパターン版胴が対接している。
すなわち、この特許文献２には、両面多色オフセットザンメル印刷機が開示されている。
【先行技術文献】
【特許文献】
【０００４】
【特許文献１】実用新案登録第２５２４２８９号公報
【特許文献２】特開平２−２２０５７号公報
【発明の概要】
【発明が解決しようとする課題】
【０００５】
紙幣や有価証券を印刷する印刷機においては、偽造防止を図ることが常に要請されている。偽造防止を図るためには、印刷物の色数を増やすことが有効である。このため、上述した従来の多色オフセット印刷機においては、偽造防止の観点から更なる多色化を図ることが要請されている。
【０００６】
本発明は、このような要請に応えるためになされたもので、シムルタン印刷において多色印刷を可能とし、より高度な偽造防止用の印刷を施すことが可能な多色オフセット印刷機を提供することを目的とする。
【課題を解決するための手段】
【０００７】
この目的を達成するために、本発明に係る多色オフセット印刷機は、搬送される被印刷物に対して印刷を施すゴム胴と、前記ゴム胴に対接する少なくとも４つの版胴と、前記４つの版胴のうち前記ゴム胴の回転方向最下流の版胴よりも前記ゴム胴の回転方向下流側かつ前記ゴム胴が被印刷物へ印刷を施す印刷箇所よりも前記ゴム胴の回転方向上流側で前記ゴム胴に対接する集合版胴と、前記集合版胴に対接し、この集合版胴にインキを転写する集合ゴム胴と、前記集合ゴム胴に対接する少なくとも２つの部分版胴と、前記各版胴および前記各部分版胴のそれぞれに対応して複数設けられ、各版胴および各部分版胴にインキを供給するインキ装置とを備えているものである。
【０００８】
本発明は、前記発明において、前記部分版胴と、前記集合ゴム胴と、前記集合版胴と、前記ゴム胴は、前記被印刷物にザンメル印刷を施すものであることを特徴とする。
【０００９】
本発明は、前記発明において、前記被印刷物を保持して搬送する搬送胴を備え、前記搬送胴は、周囲に複数の版胴が対接する第２ゴム胴であることを特徴とする。
【００１０】
本発明は、前記発明において、前記第２ゴム胴に対接する複数の版胴は、少なくとも４つあることを特徴とする。
本発明は、前記発明において、前記少なくとも２つの部分版胴と、前記集合ゴム胴と、前記集合版胴と、前記ゴム胴は、ザンメル印刷によって前記被印刷物に金額または国名を印刷するように構成され、前記少なくとも４つの版胴と前記ゴム胴は、シムルタン印刷によって前記金額または国名の上にバックグラウンド模様をオーバープリントするように構成されていることを特徴とする。
【発明の効果】
【００１１】
本発明においては、少なくとも４つの版胴と、少なくとも２つの部分版胴とが用いられることにより、シートの片面に少なくとも６色のシムルタン印刷を行うことができる。したがって、シムルタン印刷において多色印刷の色数を増加させ、より高度な偽造防止用の印刷を施すことが可能な多色オフセット印刷機を提供することができる。
【図面の簡単な説明】
【００１２】
【図１】本発明に係る多色オフセット印刷機の構成を示す側面図である。
【発明を実施するための形態】
【００１３】
以下、本発明に係る多色オフセット印刷機の一実施の形態を図１によって詳細に説明する。
図１に示す多色オフセット印刷機１は、周囲にブランケットが装着された一対のゴム胴（第１ゴム胴２と第２ゴム胴３）を有する印刷ユニット４と、この印刷ユニット４の両側に位置する第１〜第３のインキユニット５〜７とを備えている。
【００１４】
この多色オフセット印刷機１は、図１の右上部に描かれているシート供給装置８から送られた被印刷物としてのシート９の両面にシムルタン印刷を施すものである。また、この多色オフセット印刷機１は、詳細は後述するが、シート９の表面の印刷の一部をザンメル印刷によって行うことができるものである。ここでいうシムルタン印刷とは、１つのゴム胴に周囲に複数の版胴を配置し、これらの版胴からのインキをゴム胴に集合してから印刷を行う印刷方法である。また、ザンメル印刷とは、１つの版に部分的に異なる色のインキをつけ、一度に多色刷りを行う印刷方法である。
この実施の形態においては、第１ゴム胴２が本発明でいう「ゴム胴」に相当し、第２ゴム胴３が本発明でいう「搬送胴」に相当する。
【００１５】
シート９は、シート供給装置８から第１の渡胴１０を介して第２ゴム胴３に搬送される。なお、図示してはいないが、第１の渡胴１０および第２ゴム胴３にはそれぞれくわえ爪装置が設けられており、各胴のくわえ爪装置によるシート９のくわえ替えによってこの多色オフセット印刷機１において胴どうしの間でのシート９の受け渡しを行うことができる。
第２ゴム胴３は、シート９を保持し、回転することにより当該シート９を第２ゴム胴３と第１ゴム胴２とが対接する印刷箇所Ｐに搬送する。この印刷箇所Ｐにおいて、第２ゴム胴３と第１ゴム胴２とは協働してシート９を挟むことにより、シート９の両面に同時に多色印刷を施す。すなわち、第１ゴム胴２はシート９の表面に印刷を施し、第２ゴム胴３はシート９の裏面に印刷を施す。ここで、印刷箇所Ｐは第１ゴム胴２がシート９へ印刷を施す箇所であるが、本実施例においては第１ゴム胴２および第２ゴム胴３がシート９の両面に印刷を施す箇所になっている。
【００１６】
印刷後のシート９は、第２ゴム胴３の下部に対接する第２の渡胴１１から図示していない排出装置または他の印刷機に送られる。他の印刷機としては、例えば凹版印刷機やオフセット印刷機などがある。
【００１７】
第１ゴム胴２には、印刷箇所Ｐよりも第１ゴム胴２の回転方向下流側に４つの版胴１２ａ，１２ｂ，１２ｃ，１２ｄと１つの集合版胴１３とが第１ゴム胴２の回転方向に沿って対接している。４つの版胴１２ａ〜１２ｄは、ドライオフセット印刷版（図示せず）が装着されている。また、これらの版胴１２ａ〜１２ｄは、第１のインキ装置１４がそれぞれ接続されており、版胴毎の第１のインキ装置１４から供給されたインキを第１ゴム胴２に転写する。この実施の形態による版胴１２が請求項１に記載した「版胴」に相当する。
【００１８】
第１のインキ装置１４は、４つの版胴１２ａ〜１２ｄのそれぞれに対応して４つ設けられている。これらの第１のインキ装置１４は、異なる色のインキを版胴１２ａ〜１２ｄに供給する。また、これらの第１のインキ装置１４は、第１のインキユニット５に含まれるものであり、第１の支持用フレーム５ａに支持されている。第１のインキユニット５は、図１中に実線で示す使用位置と、図１中に二点鎖線で示す離脱位置との間で移動可能である。第１のインキユニット５が離脱位置に移動した状態で４つの版胴１２ａ〜１２ｄや第１ゴム胴２のメンテナンスが行われる。
【００１９】
集合版胴１３は、第１ゴム胴２の回転方向最下流に位置する版胴１２ｄよりも第１ゴム胴２の回転方向下流側かつ印刷箇所Ｐよりも第１ゴム胴２の回転方向上流側に配設されており、４つの版胴１２ａ〜１２ｄより高い位置に配置されている。この集合版胴１３には、集合ゴム胴２１が対接している。この集合ゴム胴２１は、インキを集合版胴１３に転写するものである。集合ゴム胴２１には、２つの部分版胴２２が対接している。この部分版胴２２と、上述した集合版胴１３は、凸版（図示せず）が装着されている。また、これらの部分版胴２２は、それぞれ第２のインキ装置２３が接続されており、この第２のインキ装置２３から供給されたインキを集合ゴム胴２１に転写する。第２のインキ装置２３は、異なる色のインキが溜められた２つのインキつぼ２３ａ，２３ｂを有するいわゆるダブルダクト式のインキ装置でであり、レインボー印刷を行うことが可能なものである。
これらの部分版胴２２と、上述した集合ゴム胴２１と、集合版胴１３と、第１ゴム胴２は、シート９にザンメル印刷を施すことができるものである。
【００２０】
第２のインキ装置２３は、部分版胴２２毎に設けられており、異なる色のインキを部分版胴２２に供給する。また、これらの第２のインキ装置２３は、第２のインキユニット６に含まれるものであり、第２の支持フレーム６ａに支持されている。第２のインキユニット６は、図１中に実線で示す使用位置と、図１中に二点鎖線で示す離脱位置との間で移動可能である。第２のインキユニット６が離脱位置に移動した状態で２つの部分版胴２２や集合ゴム胴２１のメンテナンスが行われる。
【００２１】
第２ゴム胴３には、印刷箇所Ｐよりも第２ゴム胴３の回転方向下流側に４つの版胴３１ａ，３１ｂ，３１ｃ，３１ｄが第２ゴム胴３の回転方向に沿って対接している。これらの版胴３１ａ〜３１ｄには、ドライオフセット印刷版（図示せず）が装着されている。また、これらの４つの版胴３１ａ〜３１ｄは、それぞれ第３のインキ装置３２が接続されており、この第３のインキ装置３２から供給されたインキを第２ゴム胴３に転写する。第３のインキ装置３２は、４つの版胴３１ａ〜３１ｄのそれぞれに対応して４つ設けられている。これらの第３のインキ装置３２は、異なる色のインキを版胴３１に供給する。また、これらの第３のインキ装置３２は、第３のインキユニット７に含まれるものであり、第３の支持用フレーム７ａに支持されている。第３のインキユニット７は、上述した第１のインキユニット５と同様に、図１中に実線で示す使用位置と、版胴４から離間した離脱位置（図示せず）との間で移動可能である。第３のインキユニット７が離脱位置に移動した状態で４つの版胴３１ａ〜３１ｄや第２ゴム胴３のメンテナンスが行われる。
【００２２】
このように構成された多色オフセット印刷機１においては、第１ゴム胴２に４つの版胴１２ａ〜１２ｄからインキがそれぞれ転写されるとともに、集合版胴１３から２色のインキが転写される。この集合版胴１３を版の構成が異なるものと交換することにより、２つの色を使って１つの画線が印刷されるザンメル印刷と、２つの色を使って１つの絵柄が印刷される印刷とのうちいずれか一方の印刷を行うことができる。
【００２３】
このため、シート９の表面には、４つの版胴１２ａ〜１２ｄが用いられて４色の印刷が施されるとともに、２つの部分版胴２２が用いられて２色の印刷が施される。すなわち、シート９の表面に６色のシムルタン印刷が施される。また、第２ゴム胴３に４つの版胴３１ａ〜３１ｄからインキがそれぞれ転写されることにより、シート９の裏面に４色のシムルタン印刷が施される。たとえば、銀行券などの有価証券の印刷を行う場合は、シート９の表面には４つの版胴１２ａ〜１２ｄによる４色のバックグラウンド模様（地紋）と２つの部分版胴２２により金額や国名などの印刷が施され、シート９の裏面には４つの版胴３１ａ〜３１ｄによる４色のバックグラウンド模様（地紋）が印刷されることになる。
したがって、この実施の形態によれば、シムルタン印刷において多色印刷の色数を増加させ、より高度な偽造防止用の印刷を施すことが可能な多色オフセット印刷機を提供することができる。
【００２４】
ここで、集合版胴１３が、第１ゴム胴２の回転方向最下流に位置する版胴１２ｄよりも第１ゴム胴２の回転方向下流側かつ印刷箇所Ｐよりも第１ゴム胴２の回転方向上流側に配設されていることにより、第１ゴム胴２には４つの版胴１２ａ〜１２ｄからの４色の画像の上に２つの部分版胴２２からの画像が転写されることになる。このため、シート９の表面には、４つの版胴１２ａ〜１２ｄによる４色のバックグラウンド模様（地紋）を、２つの部分版胴２２による金額や国名などにオーバープリントすることができる。
【００２５】
この実施の形態による部分版胴２２と、集合ゴム胴２１と、集合版胴１３と、ゴム胴は、シート９にザンメル印刷を施すものである。
このため、この実施の形態によれば、例えば部分版胴２２による金額がザンメル模様となる印刷を行うことができ、偽造防止の効果がより一層高くなる多色オフセット印刷機を提供することができる。
【００２６】
この実施の形態による搬送胴は、周囲に複数の版胴が対接した第２ゴム胴３によって構成されている。このため、シート９の両面にシムルタン印刷が施されるから、偽造防止効果がさらに高くなる多色オフセット印刷機を提供することができる。
【００２７】
この実施の形態による多色オフセット印刷機１は、第２ゴム胴３に４つの版胴３１ａ〜３１ｄが対接するものである。このため、シート９の表面に６色のシムルタン印刷が施されるとともに、シート９の裏面に４色のシムルタン印刷が施される。したがって、この実施の形態によれば、シート９の表面と裏面とを合わせて最大１０色のシムルタン印刷を施すことができるから、より一層高い偽造防止効果を得ることが可能な多色オフセット印刷機を提供することができる。
【００２８】
この実施の形態による多色オフセット印刷機１は、第１ゴム胴２に４つの版胴１２ａ〜１２ｄが対接し、第２ゴム胴３に４つの版胴３１ａ〜３１ｄが対接するものである。また、集合ゴム胴２１には２つの部分版胴２２が対接している。しかし、本発明は、このような限定にとらわれることはない。すなわち、第１ゴム胴２に対接する版胴１２ａ〜１２ｄや第２ゴム胴３に対接する版胴３１ａ〜３１ｄはそれぞれ５つ以上とすることができるし、部分版胴２２は３つ以上とすることが可能である。このように色数が増加することによって、偽造防止効果がさらに高くなる。
【００２９】
この実施の形態による多色オフセット印刷機１は、シート９に複数の印刷機で印刷を施す印刷ラインの上流端に配置されるものである。しかし、本発明は、このような限定にとらわれることはない。この多色オフセット印刷機１は、印刷ラインの下流端や、複数の印刷機の間に配置することができる。すなわち、シート９に対して最初に多色オフセット印刷機１によるシムルタン印刷を行ったのち、このシート９を他の印刷機に移送して別の印刷を行ったり、シート９を他の印刷機で印刷したのち、このシート９を多色オフセット印刷機１に移送してシムルタン印刷を行ったり、さらにこのシート９を別の印刷機へ移送して別の印刷を行うようにすることができる。
【００３０】
また、この実施の形態においては、シート９の両面にシムルタン印刷を施す多色オフセット印刷機１を例示して説明したが、本発明は、このような限定にとらわれることはない。すなわち、本発明は、シートの片面のみに印刷を施す多色オフセット印刷機にも適用することができる。また、被印刷物としては、シートに限定されずウエブであっても良い。
【符号の説明】
【００３１】
１…多色オフセット印刷機、２…第１ゴム胴、３…第２ゴム胴（搬送胴）、９…シート、１２，３１…版胴、１３…集合版胴、１４，２３，３２…インキ装置、２１…集合ゴム胴、２２…部分版胴。
【図１】
0006437768.tif 000002